(57)【要約】【課題】吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機において、上下２つの吹出し口からの空気の風量が適度に分配されるようにするとともに、ハウジングの後部のスペースが有効に活用できるようにすること。【解決手段】吸込み口８，９と上吹出し口１０及び下吹出し口１１を有するハウジング１内に熱交換器３と上下一対のファン４，５を備え、吸込み口８，９からハウジング２内に流入した空気を熱交換器３で熱交換し、上下一対のファン４、５により上吹出し口１０及び下吹出し口１１から吹出すようにした空気調和機１において、上下一対のファン４、５のファン径が異なるようにした。【選択図】図１
2010032068.tif 000002
【特許請求の範囲】
【請求項１】
吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機において、上下一対のファンのファン径を異ならせたことを特徴とする空気調和機。
【請求項２】
上側のファンのファン径を下側のファンのファン径より大きく設定したことを特徴とする請求項１に記載の空気調和機。
【発明の詳細な説明】
【技術分野】
【０００１】
本発明は、吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機に関するものである。
【背景技術】
【０００２】
従来のこの種の空気調和機では、ハウジング内に上下一対のファンを設けることにより、吸込み口からハウジング内に流入し、熱交換器で熱交換した空気を上吹出し口及び下吹出し口の双方から吹出したり、いずれか一方の吹出し口から吹出したりして、複数の気流制御ができるようにしている（特許文献１参照）。
【特許文献１】特開昭６１−５９１４５号公報
【発明の開示】
【発明が解決しようとする課題】
【０００３】
しかし、上述した空気調和機では上下一対のファンにファン径が同じものが使用されているため、熱交換器で熱交換された空気を上下一対のファンが引っ張り合って気流が乱れ、上下２つの吹出し口からの風量が安定しないばかりでなく、ハウジング内での気流の乱れによる騒音が大きくなる問題があった。また、ハウジング内に２つのファンを設けることにより、室内機と室外機とを接続する冷媒配管の収納スペースが取れなくなり、ハウジングの奥行きを大きめにしなければならない問題があった。
【０００４】
そこで本発明は、吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機において、上下２つの吹出し口からの空気の風量が適度に分配されるようにするとともに、ハウジングの後部のスペースが有効に活用できるようにすることを目的とする。
【課題を解決するための手段】
【０００５】
このため第１の発明は、吸込み口と上吹出し口及び下吹出し口を有するハウジング内に熱交換器と上下一対のファンを備え、吸込み口からハウジング内に流入した空気を熱交換器で熱交換し、上下一対のファンにより上吹出し口及び下吹出し口から吹出すようにした空気調和機において、上下一対のファンのファン径を異ならせたことを特徴とする。
【０００６】
また第２の発明は、第１の発明の空気調和機において、上側のファンのファン径を下側のファンのファン径より大きく設定したことを特徴とする。
【発明の効果】
【０００７】
本発明によれば、上側のファンのファン径を下側のファンのファン径より大きくすることにより、熱交換器で熱交換された空気の気流の乱れを防止して、上下２つの吹出し口からの空気の風量が適度に分配されて風量の安定化を図ることができ、騒音の発生を抑制することができる。また、ファン径の小さなファン後方のスペースを室内機と室外機とを接続する冷媒配管の収納スペース等に有効に活用することができる。
【発明を実施するための最良の形態】
【０００８】
以下、本発明を実施するための最良の形態について、図１乃至図３を参照しながら説明する。１は熱源機となる室外機（図示せず）とともに空気調和機を構成する床置き式の室内機であり、ハウジング２内に熱交換器３と上下一対のクロスフローファン４、５が設けられている。上側クロスフローファン４のファン径（直径）を１００ｍｍとし、下側クロスフローファン５のファン径（直径）を９２ｍｍとし、上側クロスフローファン４のファン径を下側クロスフローファン５のファン径よりも大きくしてある。
【０００９】
ハウジング２は前面パネル６と本体ケーシング７とからなり、前面パネル６には前面吸込み口８と側面吸込み口９と上吹出し口１０と下吹出し口１１とが設けられ、上吹出し口１０には運転時に開放する上吹出しフラップ１２が設けられている。また、熱交換器３の前面には空気清浄フィルター１３付きのエアフィルター１４が着脱自在に設置され、熱交換器３の下方にはドレンパン１５が設けられている。
【００１０】
本体ケーシング７の後部には断熱材１６が取付けられ、この断熱材１６の内側には上下一対のクロスフローファン４、５の間に位置する断面がく字状の風路ガイド１７と、この風路ガイド１７の上方に連なって所定間隔を存して上側クロスフローファン４を覆う上側ファンケース１８と、前記風路ガイド１７の下方に連なって所定間隔を存して下側クロスフローファン５を覆う下側ファンケース１９とが配設される。
【００１１】
また、上側クロスフローファン４と上吹出し口１０との間には上側吹出し通路２０が形成され、下側クロスフローファン５と下吹出し口１１との間には下側吹出し通路２１が形成され、下側吹出し通路２１には開閉自在なシャッター装置２２が設けられている。
【００１２】
風路ガイド１７は、上側の前下方へ延びた長辺部１７Ａと、この長辺部１７Ａから折曲されて下側の後下方へ延びた短辺部１７Ｂとから構成される。そして、風路ガイド１７の折曲位置である頂部１７Ｃが上下の中心位置よりも下側にずらした位置にくるようにしてあり、即ち長辺部１７Ａが短辺部１７Ｂより長く、頂部１７Ｃは上側クロスフローファン４の中心と下側クロスフローファン５の中心との間の中心位置より下方に位置しており、しかも一点鎖線で示す長辺部１７Ａの延長線よりも熱交換器３の下後端が左方（前方）に位置するようにしてあり、上側クロスフローファン４のみの運転時に熱交換器３を経た熱交換後の空気をそっくり取り込んで室内へ供給できるように構成される。
【００１３】
このように構成された空気調和機の室内機１では、冷房運転時に熱交換器３が蒸発器として作用し、通常は上下一対のクロスフローファン４、５が運転する。すると、室内空気が前面吸込み口８と側面吸込み口９からハウジング２内に流入し、エアフィルター１４で除塵された後、熱交換器３で冷却され、冷気になる。そして、風路ガイド１７にて上下に分流してクロスフローファン４、５に導かれ、上側吹出し通路２０及び下側吹出し通路２１を通って上吹出し口１０及び下吹出し口１１からそれぞれ室内へと吹出される。
【００１４】
上側クロスフローファン４のファン径を下側クロスフローファン５のファン径よりも大きくしてあるので、熱交換器３を通過した冷気が２つのクロスフローファン４、５によって引っ張り合う度合いが少なくなり、主に上側クロスフローファン４によって上吹出し口１０から室内に流出するため、冷気を多量に室内の上方に導き、室内を効率よく冷房することかできるとともに、ハウジング２内部の気流が安定し、騒音の発生を抑制することができる。また、下側クロスフローファン５による下吹出し口１１からの吹出し風量は少なくなるが、下吹出し口１１を小さめにしておくことにより、風速を確保することができ、体感的には下吹出し口１１からの風量の減少を感じないようにできる。
【００１５】
しかも、風路ガイド１７の頂部１７Ｃを上側クロスフローファン４の中心と下側クロスフローファン５の中心との間の中心位置より下方にずらして、風路ガイド１７の中心より下側にずらしたので、熱交換器３からの冷気を上下の吹出し口１０、１１の吹出し風量に合せて適度に分配し、熱交換器３を通過した冷気を上側クロスフローファン４にスムーズに多く流入させることができる。
【００１６】
使用者が上吹き出し口１０のみからの冷風吹出しを選択した場合、下側クロスフローファン５が停止し、図３の一点鎖線で示すように、下側吹出し通路２１がシャッター装置２２によって閉鎖される。このとき、一点鎖線で示す長辺部１７Ａの延長線よりも熱交換器３の下後端が左方（前方）に位置するようにしているので、上吹出し口１０のみから冷気を室内へ吹出す場合でも、熱交換器３全面に空気が通過するようにして熱交換器３を経た熱交換後の空気をそっくり取り込んで吹出すことができ、効率の良い冷房運転を行なうことができ、シャッター装置２２によって下吹出し口１１からの冷気漏れをなくし、一層効果的な冷房運転を行なうことができる。
【００１７】
しかも、熱交換器３には室内機と室外機とを接続する冷媒配管が取り付けられているが、ファン径の小さなクロスフローファン５の後方のスペースＳを前記冷媒配管の収納スペース等に有効に活用することができる。
【００１８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１９】
【図１】空気調和機の縦断面図である。
【図２】同じく斜視図である。
【図３】図１の要部拡大断面図である。
【符号の説明】
【００２０】
１            室内機（空気調和機）
２            ハウジング
３            熱交換器
４            上側クロスフローファン
５            下側クロスフローファン
８、９        吸込み口
１０          上吹出し口
１１          下吹出し口
１７          風路ガイド
１７Ａ        長辺部
１７Ｃ        頂部
２２          シャッター装置
【図１】
2010032068.tif 000003
【図２】
2010032068.tif 000004
【図３】
2010032068.tif 000005